(57)【要約】      （修正有）【課題】葬儀の際に使用される柩の素材が、木に比べて短年で成長を遂げ、安価にして曲面加工も容易に施せる竹材で製造される環境問題に配慮した柩を提供する。【解決手段】竹素材による柩１は、竹を細かく切断し割った数多くの切断、割り竹をニカワあるいは燃焼した際に有毒ガスが発生しない接着剤とともに、圧縮形成して成る修正材や練付材、もしくは、合板等の竹材４を加工し、その平板状に形成した竹板４の複数枚を用いて形成した容体５に、窓扉６を有する蓋７を組み合わせて成る柩１を構成する。【選択図】図１
0003130622.tif 000002
【実用新案登録請求の範囲】
【請求項１】
竹材によって形成された容体と蓋から成る葬儀用の柩において、前記した容体と蓋が、平板状に形成された竹板を用いて形成されたことを特徴とする竹製の柩。
【請求項２】
上記した容体と蓋が、竹板に曲げ加工を施して曲面状に形成された曲げ板を用いて形成されたことを特徴とする請求項１に記載する竹製の柩。
【請求項３】
上記した容体と蓋が、竹板に曲げ加工を施して曲面状に形成された曲げ板とを組み合わせて形成されたことを特徴とする請求項１に記載する竹製の柩。
【考案の詳細な説明】
【技術分野】
【０００１】  本考案は、葬儀の際に使用される柩の素材が、木に比べて短年で成長を遂げ、安価にして、曲面加工も容易に施せる竹材で製造される環境問題に配慮した柩に関する。
【背景技術】
【０００２】  従来、葬儀に用いられる柩の素材は、白木を主とする木材で形成されるのが一般的である。更に、木材で形成される柩の中には、数は少なくなるが、木製の柩の外表面に家紋や模様などの装飾表示されたものや、電気植毛等を施した柩又は、組み立て式の柩も提供されている。これ以外の素材としては、木材を原料とするダンボール製の柩など形態の異なるタイプの柩があるが、いずれも製造し易く、燃やしやすい、燃焼した際に有毒ガスが出ないなどの理由により、いずれの柩も素材は、すべて木材を原料とした柩が用いられている。（例えば、特許文献１参照）【０００３】
【特許文献１】実用新案出願公告平５−２４３３１公報
【考案の開示】
【考案が解決しようとする課題】
【０００４】  以上のように、古くから用いられて来た白木を主材とする柩はもとより、最近見られる装飾や植毛を施した柩も含めて、形態は多少変化して来ているが、いずれの柩も木材で成形されている。加えて木材によって製作する柩は、その特性により、ご遺体を納められる長さの矩形状の柩に限定されている。したがって曲面を有するような、例えば船型や自動車型や飛行機を模した形状の柩は見られず、仮に木材で曲面を有する柩を製作する場合は、製作時間もコストも大幅に要するなどの理由により、現状においては曲面を有する形態の柩は提供されていない。【０００５】  しかし、今日の葬儀は、生前葬や自然葬を始め、故人の個性を表す音楽葬など多様な形態の葬儀が行われるようになりつつあるが、柩の素材や形態においては特に昔から変わらず、前記したような船型や自動車型や飛行機型は、もとより、仏像型、楽器型など形態の異なるオリジナリティに富み荘厳な柩を求めても、従来からの木材料や成形技術などにおいて、加工の難しさやコスト高の理由により、今日まで一切提供されていないのが現状であった。【０００６】  他方、日本は割り箸を始め、家具、家屋等を含めて極めて木材を多用している国であり、他の素材や物品に比べても木材は、とりわけ大きな輸入大国である。その結果、諸外国の木材資源の枯渇の原因を招いたり、森林の減少に大きな影響を与えており、一部の外国からは、非難の声も聞かれるほど木材の消費が膨大である。それらの諸問題に対策を講じる必要があるが、未だ木材に代わる素材の柩は提供されていない。その中において葬儀に使用される柩も少なからず例外ではない。その使用量は、膨大であり何らかの対策を講じる必要に迫られている。【０００７】  しかしながら、未だ木材に代わる素材の柩は提供されていない。又、木材の利用に伴う伐採は、早くても２０年以上を必要とするので、不足に備えて植林しても前記の需要に応える迄には長い年月が掛かるとともに、その維持管理にも多くの手間や人手そして、膨大な費用を必要とするので課題も大きい。【０００８】  一方、山野にある自然竹や栽培竹は、古くから籠やザルをはじめとする容器や工芸品などに利用されていたが、時代の変化とともにその使用量は、大幅に減少して今日の使用量は僅かである。その結果、最近では竹の繁殖による畑や果樹園などの浸食等による影響が深刻な問題となっていることは、ニュースやマスメディアなどの報道で知られるところである。この竹は、木材に比べて短年で成長を遂げ充分に資材として使用が可能である。【０００９】  又、最近は、切断竹や細く割った竹を集成材や練付材、若しくは、合板材として加工した技術も確立し、その竹板を建築資材として使われるようになって来ているのが、建築関係以外には、有用な使い方が今だ見いだされていないのが実情である。加えて、これらの問題は、竹などが多い東南アジア諸国でも大きな課題となっている。現実問題として、国内外を問わず、放置され野放図にはびこる竹林公害を防ぎ、間接的に森林伐採の削減と、資源の有効利用に貢献が出来る【０００１０】  更に、木材の柩の場合は、火葬時の燃焼時間も長く掛かるので、炉の損傷にも影響を与えているが、その点竹は、燃焼効率が良くＣＯ２が削減さ���る。特に若竹や青竹は、水分を多く含んでいるが、充分乾燥させた竹を柩の原材料として使用するので、燃えやすく、火葬時の燃焼時間も従来より遙かに少なくて済む。
【課題を解決するための手段】
【００１１】  本考案は、以上のような従来の柩が持つ不便や欠点を解消する為に開発されたものであり、成長が極めて早く、かつ安価で、曲面加工もしやすい竹材を使用して、柩を構成する容体と蓋を形成するとともに、その容体と蓋が、平板状に設けられた竹板と曲面状に設けられた曲げ板のいずれか一方を用いて形成されるか、または竹板と曲げ板を組み合わせて形成されるものである。
【考案の効果】
【００１２】  本考案における柩は、以上の様な構成であるので、従来の木材による柩では成し得られない次に示すような長所や効果を提供する。
柩の素材は、木材よりも格段の相違で短年で成長し、かつ腰の強い竹材を原料とした竹板を採用しているので、薄い板材でも丈夫で軽く、かつ安価に柩を製作できる。加えて、弾性を有する竹素材であるので、曲げ成形や型成形によって、船や自動車、楽器、カプセルなどを模倣した曲面を有するオリジナルな柩も容易に製作できる。【００１３】  竹は昔、水筒等にも使用されていたこともあり防水性があり、ご遺体をお納めする為の大切な柩なので、腐敗や臭気、そして、カビなどを防ぎ、防水、防湿に優れ、更に、防臭、脱臭効果もある天然材である竹製の柩を製作できる。
そして、軽く、集成材、練付材、合板材、プレス加工材等に加工しやすく、容易に曲面を形成でき、材料強度が木材より強く、使用材料の板厚も最小限に薄くすることが可能で、軽量な柩としての機能をより効果的に果たすことができる。【００１４】  加えて、柩を竹素材に変えることにより、従来からの木材を使用しなく成ることにつながり、諸外国の木材資源の減少と森林伐採に大きく貢献すると共に、竹の浸食公害も防止することにも寄与し、竹材の有効活用の促進効果を得る。
更に、竹は、木の生長年月とは比べものに成らない程、短年で成長をとげ、竹を間伐しなければ、他の樹木を浸食してしまう程の繁殖力があり、資材としての利用で竹の伐採も進み竹林公害を防ぐ大きな役割を担う事ができる。そして、竹は、管理や手入れも極めて容易で、竹の増産もスピーディに対応できる。【００１５】  竹は、まっすぐ天に伸び、静寂、純粋、すがすがしさや爽快感があり日本的な和風を感じ、イメージには最適な素材で、これ以外に代用素材は無く、極めて好適な環境に優しい柩の提供が実現できる。【００１６】  竹は天然、自然材なので乾燥すると、とても燃えやすい。焼却した場合、プラスチックや合成樹脂で出来ている物と違い、燃焼効率が良く、環境汚染の原因となる廃棄物やダイオキシン等の有害物質が無く、更に、ＣＯ２の削減に大きな効果を生み、環境汚染等の公害防止に多大な貢献ができる。そして、火葬時の燃焼時間も短いので炉の損傷にも影響を与え無くて済む。【００１７】  また竹材料は、炭に成ると匂いを吸収する効果が増し、不快な匂いに悩まされる事が無くなる。柩の内側面に木炭又は、匂い吸収剤を組み合わせる事により効果が増大する。それら全ての項で最適な要件を兼ね備え、柩の素材としても極めて好適な竹製の柩である。
【考案を実施するための最良の形態】
【００１８】  本考案による柩１は、製作材料において従来からの木材と比べて成長が著しく早く、かつ加工しやすい竹素材を採用しているので、安価にして曲面加工しやすく、丈夫で軽く、燃焼後の環境汚染の原因や公害の防止に大きく貢献でき、匂い吸収効果も大きい、防水性に富んだ素材である。【００１９】  以上のような好適な竹材料を用いて形成される柩１において、実施例１においては、従来一般的に見られる矩形状の柩１を製作する場合であり、数多くの切断した竹や細かい割り竹２を竹集成材や竹練付材、若しくは、竹合板加工した竹板４により形成されるので、木材より薄くても丈夫で軽く、燃焼しやすいので、火葬時の熱エネルギーも少なくて済む為、炉の損傷が少ない柩１を形成することが可能となっている。【００２０】  実施例２における柩１は、竹板４と曲げ板９を組み合わせて製作する場合である。この場合に、弾性が高い竹素材を原料とする竹板４を、金型で曲げ成形した曲げ板９を採用することが可能であるので、木材では極めて難しくコストも高くなって作れなかった曲面を有する形態の柩１の製作も容易である。【００２１】  実施例３に示す柩１は、竹板４を用いずに、竹板４に曲げ成形を施した曲げ板９のみを用いて製作する場合である。
【実施例】
【００２２】    実施例１
本考案による柩を、図１に示す斜視図と図２に示す柩の縦断面図及び図３に示す柩の形成材となる竹板の拡大断面図を参照して説明する。
実施例１に示す柩は、図３に示すように細かく切断し割った数多くの切断、割り竹２，２をニカワあるいは燃焼した際に有毒ガスが発生しない接着剤３とともに、圧接形成して成る集成材や練付材、若しくは、合板等の竹板４を加工し、その平板状に形成した竹板４の複数枚を用いて形成した容体５に、窓扉６を有する蓋７を組み合わせて成る柩１を構成する。更に、該柩１の外表面には、観音様や、仏像、花や経文などの装飾表示８を施すようにしてもよい。【００２３】    実施例２
実施例２の柩を、図４に示す斜視図と図５に示す曲げ板の成形例の断面図を参照して説明するが、本例は、実施例１で用いた竹板４と後述する曲げ板９を組み合わせて成るものである。
実施例２における竹素材による柩１は、容体５の左右側部のみが曲面を有した船型状の柩１である。その容体５の左右側部を形成する曲げ板９，９は、曲面状に曲げ形成した竹板４を用いて成るもので、その容体５に窓扉６を有する蓋７を組み合わせて実施例２の柩１を構成する。この場合における曲げ板９は図５に示すように形成する。まず、Ａ金型１０とＢ金型１１の間に竹板４を挟んでから、前記Ａ金型１０とＢ金型１１に一定の圧力ａとともに加熱を与えて曲げ加工する。このようにして設けた曲げ板９を採用することにより、木材では難しかった曲げ部分を有する柩１も容易に形成することが可能となる。尚、本実施例の柩１の外表面にも、実施例１と同様の装飾表示８を施しても良い。【００２４】    実施例３
続いて、実施例３の柩を、図６および図７の斜視図を参照して説明する。この場合に、図６に示す柩１は、自動車型を模倣して成すものであり、図７に示す柩１は、飛行機型を模倣して成すものである。容体５や窓扉６付き蓋７は、いずれも竹板４を曲げ形成して成る曲面で形成された柩１であるが、曲げ成形された曲げ板９を複数枚組み合わせることで容易に柩１を製作することができる。【００２５】  なお図８に示す一部分解斜視図は、前記実施例１の竹素材による容体５及び蓋７の外表面に、装飾を目的とした別途の装飾割り竹１２，１２を貼り付けたものであり、竹素材による竹集成材や竹合板による竹板４を用いて形成した容体５と蓋７とで成る柩１の外表面に、別途に用意した天然の装飾割り竹１２，１２を接着剤３を用いて貼り付けた構造となっている。なおまた柩の内側面に、木炭又は匂い吸収剤１３，１３を組み合わせるようにしてもよく、また市販の脱臭効果のある消臭紙、脱臭剤を貼り付けて使用すれば、生じる臭いを脱臭する効果はさらに増すことができる。さらには装飾割り竹１２以外に編み竹を貼り付けた装飾手段を採用しても差し支え無い。【００２６】  本考案による柩１は、以上のような各実施例を構成するもので、この各実施例で示した様々な形状の柩の中から所望するものを選択することができる。なお実施例１で示した装飾表示８は、印刷やプリント、焼き付け、手書き等による表示であるが、彫りや箔押し表示でも構わない。又、実施例２および実施例３に示す曲面部を有する柩１は、船型や自動車型、飛行機型を模倣したものを示しているが、曲げ形成しやすい竹素材であるので、これ以外にロケットや楽器、その他、故人に縁のあるどんな形態の柩でも製作することが極めて容易である。加えて、いずれの柩１の内側面にも匂いの吸収効果のある木炭や、他の匂い吸収剤１３を組み合わせても構わないものであり、いずれも特に限定するものでは無い。そして、容体５と蓋７を止める釘打ち箇所を１カ所以上設ける事は、上記の各実施例に施す必要がある。
【図面の簡単な説明】
【００２７】
【図１】  本考案の竹素材による実施例１の柩を示す斜視図である。
【図２】  実施例１の柩を示す縦断図である。
【図３】  実施例１の柩を形成する竹板の拡大断面図である。
【図４】  実施例２の柩を示す斜視図である。
【図５】  実施例２の柩を形成する曲げ板の成形例を示す断面図である。
【図６】  実施例３の柩を示す斜視図である。
【図７】  実施例３における別の形態の柩を示す斜視図である。
【図８】  柩に装飾割り竹を貼り付けた状態を示す一部分解斜視図である。
【符号の説明】
【００２８】  １・・・柩
２・・・切断、割り竹
３・・・接着剤
４・・・竹板
５・・・容体
６・・・窓扉
７・・・蓋
８・・・装飾表示
９・・・曲げ板
１０・・Ａ金型
１１・・Ｂ金型
１２・・装飾割り竹
１３・・匂い吸収剤
ａ・・・圧力
【図１】
0003130622.tif 000003
【図２】
0003130622.tif 000004
【図３】
0003130622.tif 000005
【図４】
0003130622.tif 000006
【図５】
0003130622.tif 000007
【図６】
0003130622.tif 000008
【図７】
0003130622.tif 000009
【図８】
0003130622.tif 000010